(57)【要約】【課題】  需要家側に設置される電力量計において、メーター表示窓が汚れや結露により透明性を喪失して表示された検針値を確認できなくなる不具合を解消することができる電力量計を提供する。【解決手段】  少なくとも電力量を測定する電力測定部５と、該電力測定部による測定結果を表示する表示部７と、該電力測定部、及び表示部を支持するベース２と、該ベースに対して着脱されて該電力測定部及び表示部を覆うと共に前記表示部を視認可能にする透明窓１１を備えたケース１０と、ベースに対してケースを閉止した状態で両者を封印する封印部２０と、を備えた電力量計において、透明窓の内側面であって少なくとも表示部に相当する範囲に摺接しつつ移動することにより該範囲内の付着物を除去するクリーニング部材３０を備えた。【選択図】      図１
2007078493.tif 000002
【特許請求の範囲】
【請求項１】
電力量を測定する電力測定部と、該電力測定部による測定結果を表示する表示部と、該電力測定部、及び表示部を支持するベースと、該ベースに対して着脱されて該電力測定部及び表示部を覆うと共に前記表示部を視認可能にする透明窓を備えたケースと、前記ベースに対して前記ケースを閉止した状態で両者を封印する封印部と、を備えた電力量計において、
前記透明窓の内側面であって少なくとも前記表示部に相当する範囲に摺接しつつ移動することにより該範囲内の付着物を除去するクリーニング部材を備えたことを特徴とする電力量計。
【請求項２】
前記クリーニング部材は、前記ケースに常設されており、前記透明窓内側面に摺接する払拭部と、該払拭部に連設されてケースに設けた支持穴から外部に突出する操作部と、を備えていることを特徴とする請求項１に記載の電力量計。
【請求項３】
前記支持穴は、前記ケースに形成されたスリットであり、前記クリーニング部材は該スリットに沿って進退する過程で前記払拭部を前記透明窓内側面に摺接させてクリーニングすることを特徴とする請求項２に記載の電力量計。
【請求項４】
前記支持穴は、前記ケースに形成された小孔であり、該小孔から外部に突出した前記操作部を回動操作することにより、前記払拭部は前記透明窓内側面を円弧状の軌跡を描いてクリーニングすることを特徴とする請求項２に記載の電力量計。
【請求項５】
前記支持穴は、前記ケースの側面、或いは前面に配置した挿着孔であり、前記クリーニング部材は前記ケースに対して着脱される別部材であって、前記挿着孔からケース内部に挿抜自在に入り込んで前記透明窓内側面に摺接する払拭部と、該払拭部に連設されて前記挿着孔の外部に突出する操作部と、を備え、前記挿着孔に支持された操作部を手動操作する過程で前記払拭部を前記透明窓内側面に摺接させてクリーニングすることを特徴とする請求項１に記載の電力量計。
【請求項６】
前記挿着孔に、前記クリーニング部材を前記透明窓内側面に導いたり、該クリーニング部材を操作する際のガイドとなるガイド部を設けたことを特徴とする請求項５に記載の電力量計。
【発明の詳細な説明】
【技術分野】
【０００１】
本発明は、需要家側に設置されて検針の対象とされる電力量計の改良に関し、特に検針に際してメーター表示窓が汚れや結露により透明性を喪失して表示された検針値を確認できなくなる不具合を解消することができる電力量計に関する。
【背景技術】
【０００２】
５０ｋＷ未満の低圧分野では、需要家側に低圧計器としての電力量計が設置されているため、検針員が定期的に現地に出掛けていって検針を実施している。電力量計は、封印されたケース内に、電力測定部、端子ボックス、測定結果を表示する表示部（メーター部）等を備え、ケース前面には表示部の表示内容を目視確認するための透明窓（メーター表示窓）が配置されている。
しかし、透明窓はその内面への塵埃の付着による汚損、或いは結露により、経時的にその透明度が低下し易く、表示部の表示内容を視認できない程度に透明度が低下している場合には検針不能となる。結露により透明窓が単に曇っているに過ぎない場合には曇りが解消する時期に再度来訪して検針を行うことができるが、塵埃により汚損している場合には封印を解除してケースを開放した上で付着物を除去しない限り検針は不可能となる。
特許文献１には、キュービクルの設置条件によって検針員が検針値を読取り不能となる不具合を解消するための手段が開示されているが、透明窓の透明度の低下による検針不能を解消するための構成は開示されていない。
【特許文献１】特開２０００−２９２４４４公報
【発明の開示】
【発明が解決しようとする課題】
【０００３】
封印されたケース内にメーター部を備えた電力量計にあっては、メーター部を目視確認するための透明窓がケース前面に配置されているが、経時的に透明窓内面が汚損したり、結露することによって透明性が低下すると、検針値を読み取ることが困難になったり、誤読取りが発生し易くなる。ケースの封印を解除して解体して透明窓をクリーニングすることも可能ではあるが、再封印する作業が極めて煩雑であるばかりでなく、封印する意味が失われて検針結果に対する需要家の信頼性が低下するため、現実的ではなかった。
本発明は上記事情に鑑みてなされたものであり、需要家側に設置される電力量計において、メーター表示窓が汚れや結露により透明性を喪失して表示された検針値を確認できなくなる不具合を解消することができる電力量計を提供することを目的としている。
【課題を解決するための手段】
【０００４】
上記目的を達成するため、請求項１の発明は、少なくとも電力量を測定する電力測定部と、該電力測定部による測定結果を表示する表示部と、該電力測定部、及び表示部を支持するベースと、該ベースに対して着脱されて該電力測定部及び表示部を覆うと共に前記表示部を視認可能にする透明窓を備えたケースと、前記ベースに対して前記ケースを閉止した状態で両者を封印する封印部と、を備えた電力量計において、前記透明窓の内側面であって少なくとも前記表示部に相当する範囲に摺接しつつ移動することにより該範囲内の付着物を除去するクリーニング部材を備えたことを特徴とする。
電力量計は、需要家の信頼性を維持するために封印されているため、検針員であっても無断で開放することはできない。そのため、メーター部を外部から目視確認するための透明窓の透明性が失われた場合にはこれをクリーニングして視認可能な状態に復旧させることが困難であった。本発明では、外部から操作可能なクリーニング部材を電力量計に常設したり、或いは電力量計内部に挿入することにより、透明窓を任意にクリーニングしてその透明性を維持し、常に正しく検針値を読取ることができるようにしている。
請求項２の発明は、請求項１において、前記クリーニング部材は、前記ケースに常設されており、前記透明窓内側面に摺接する払拭部と、該払拭部に連設されてケースに設けた支持穴から外部に突出する操作部と、を備えていることを特徴とする。
クリーニング部材を常設した場合には、操作部を所定方向に向けて操作するだけの簡単な操作により透明窓の汚れや結露を除去して正しく検針することができる。
請求項３の発明は、請求項２において、前記支持穴は、前記ケースに形成されたスリットであり、前記クリーニング部材は該スリットに沿って進退する過程で前記払拭部を前記透明窓内側面に摺接させてクリーニングすることを特徴とする。
支持穴をスリットとすることにより、常設タイプのクリーニング部材をスリットに沿って往復動させる簡単な操作によりクリーニングの目的を達成することができる。
【０００５】
請求項４の発明は、請求項２において、前記支持穴は、前記ケースに形成された小孔であり、該小孔から外部に突出した前記操作部を回動操作することにより、前記払拭部は前記透明窓内側面を円弧状の軌跡を描いてクリーニングすることを特徴とする。
支持穴を軸受を兼ねた小孔とすることで、常設タイプのクリーニング部材を円弧を描くように回動操作することにより、クリーニングの目的を達成することができる。
請求項５の発明は、請求項１において、前記支持穴は、前記ケースの側面、或いは前面に配置した挿着孔であり、前記クリーニング部材は前記ケースに対して着脱される別部材であって、前記挿着孔からケース内部に挿抜自在に入り込んで前記透明窓内側面に摺接する払拭部と、該払拭部に連設されて前記挿着孔の外部に突出する操作部と、を備え、前記挿着孔に支持された操作部を手動操作する過程で前記払拭部を前記透明窓内側面に摺接させてクリーニングすることを特徴とする。
クリーニング部材をケース内に常設した場合には繰り返しのクリーニング作業によって払拭部が汚損されてもこれを清掃する手だてが存在しないこととなる。従って、透明窓を払拭部で払拭しても透明性が回復されないことも多々ある。これに対して、クリーニング部材をケースとは別体構成とし、検針員が携帯するようにすれば、払拭部の汚れを任意に清掃することができるので、透明窓を確実にクリーニングすることができる。また、クリーニング部材の耐久性が低下して使用不能に陥った場合も交換使用が容易である。また、ケースには挿着孔さえ設ければよいので、電力量計本体に対する加工度が最低限でよくなる。
請求項６の発明は、請求項５において、前記挿着孔に、前記クリーニング部材を前記透明窓内側面に導いたり、該クリーニング部材を操作する際のガイドとなるガイド部を設けたことを特徴とする。
クリーニング部材の挿抜をガイドする挿着孔以外に、クリーニング部材の挿通方向を透明窓内面側に規制したり、クリーニング操作を容易化するためのガイド部を設けることにより、操作性を大幅に向上できる。
【発明の効果】
【０００６】
本発明によれば、電力量計の如く閉ざされたケース内に配置されたメーター部をケースに設けた透明窓から目視確認するように構成された計器において、透明窓が汚れや結露により透明性を喪失した場合に、常設、或いは外部から挿抜可能なクリーニング部材を用いて透明窓内面をクリーニングできるようにしたので、検針員の負担を軽減しつつ、正確な検針を行うことが可能となる。
【発明を実施するための最良の形態】
【０００７】
以下、本発明を図面に示した実施の形態により詳細に説明する。
図１（ａ）（ｂ）（ｂ）（ｃ）及び（ｄ）は本発明の一実施形態に係る電力量計の正面図、Ａ−Ａ断面図、Ｂ−Ｂ断面拡大図、（ｃ）の正面拡大図、及びクリーニング部材の外観斜視図である。
この電力量計１は、家屋等の設置面に固定されるベース２と、ベース２の前面に配置されて電力量を測定する電力測定部５、電力測定部５と接続された端子ボックス６、及び測定結果を表示する表示部（メーター部）７と、ベース２に対して着脱されて電力測定部５、端子ボックス６、及び表示部７を覆うと共に表示部７の表示内容を視認可能にする透明窓（メーター表示窓）１１を備えたケース１０と、ベース２に対してケース１０を閉止した状態で両者を封印する封印部２０と、を備えている。
電力測定部５により測定された使用電力量についての値は表示部７に設けたメーター部７ａに表示され、非透明材料から成るケース本体１０ａに設けた開口に配置された透明窓１１から目視により確認できるように構成されている。
検針の信頼性を高めるためにケース１０の開放を制限する封印部２０が設けられているため、検針員は封印を解除してケースを任意に開放することが許されない。従って、表示部の表示内容は透明窓１１から目視によって確認するしかなく、透明窓がその内側面の汚れや結露によって透明性を喪失している場合には正しい検針が不可能となる。
そこで、本発明の電力量計１では、透明窓１１の内側面であって少なくともメーター部７ａに相当する範囲に摺擦しつつ移動することにより当該範囲内の付着物を除去するクリーニング部材３０を設けることにより、電力量計のケース１０を開放することなく透明窓１１に付着した汚れ等を除去して透明性を回復して、正常な検針を行い得るようにしている。
【０００８】
この実施形態に係るクリーニング部材３０は、ケース１０に常設されて手動操作によりクリーニング動作を実施するための構成を備えており、透明窓１１の内側面に摺接する払拭部３１と、払拭部３１に連設されてケース１０に設けた支持穴１２から外部に突出する操作部（操作ノブ）３２と、払拭部３１を透明窓内面に押し付ける弾性部材３３等を備えている。操作部３２の外面には、払拭部３１が位置する方向を示す矢印等を設けることにより、操作部３２を摘んでの操作に際して適正な操作範囲、操作方向を確認することができる。クリーニング部材３０と支持穴１２は、クリーニング機構を構成している。
この実施形態における支持穴１２は、透明窓１１自体、或いは透明窓の端縁に沿ったケース本体部分１０ａに配置されたスリットであり、クリーニング部材３０はスリット１２に沿って進退する過程で払拭部３１を透明窓内側面に摺接させてクリーニングする。
払拭部３１は、例えば、樹脂、或いは金属材料を細幅帯状、或いは線状等に加工した基部３１ａの片面（透明窓との対向面）、或いは全面に植毛、或いはスポンジ等から成る払拭部材３１ｂを取り付けた構成を備えている。操作部３２は、払拭部の基部３１ａの一端部にほぼ直交する状態で一体化されている。操作部３２は、検針員が指などで摘んでスリット１２に沿って進退させることができるように任意のノブ形状に構成される。また、基部３１ａの一端部にはスリット１２内に嵌合してスリット１２内に沿って安定移動できるようにするための被ガイド板部３４が固定されている。被ガイド板部３４をスリット１２内壁に密着させて摺動移動させることが可能となり、クリーニング部材によるクリーニング動作のブレを防止できる。
【０００９】
スリット１２の配置場所は、透明窓の左側でも良いし、上側、或いは下側であってもよい。透明窓の上側或いは下側にスリット１２を配置した場合には、クリーニング部材３０は左右方向へ進退可能に支持されることとなる。
なお、透明窓１１を間に挟んで左右両側（或いは上下両側）にスリット１２を設けると共に、クリーニング部材の基部３１ａの両端に操作部３２を設けることにより、クリーニング部材を上下動（左右動）させるようにしてもよい。
払拭部材３１ｂを安定して透明窓１１の内面に圧接させるための構造としては、例えばクリーニング部材３０の被ガイド板部３４をスリット１２内に支持した段階で、基部３１ａの弾性力によって払拭部材３１ｂが透明窓の内面に圧接するように構成してもよいし、或いは、操作部３２とケース外面との間にコイルバネ等の弾性部材３３を配置して払拭部３１を全体的に透明窓内面に圧接させるように構成してもよい。このように弾性部材３３を設けた場合、操作部３２を指で摘んでスリット１２に沿った方向へ移動させるだけで透明窓内面と払拭部との間に十分な摺擦力を確保しつつクリーニングすることができる。或いは、弾性部材３３による払拭部の圧接力を調整しつつクリーニング動作を行いたい場合には操作部３２を弾性部材３３の付勢力に抗してケース内方へ押し込んでからクリーニング部材を移動させるようにしても良い。
この実施形態では、非クリーニング時にはクリーニング部材を透明窓１１の下方に待機させておくように構成したが、透明窓の上方に待機させるようにしてもよい。
また、クリーニングを必要とする透明窓の範囲はメーター部７ａに相当する範囲だけであるため、スリット１２がクリーニング部材を移動可能とする範囲をメーター部７ａと対応する範囲に極限するように構成してもよい。例えば、図１（ａ）中に点線で示すように透明窓１１の上側に沿って設けたスリット１２によって、メーター部７ａに相当する透明窓部分のみをクリーニング可能な短尺なクリーニング部材３０を横方向へ進退自在に支持してもよい。
なお、必要に応じてスリット１２内にはゴム等から成るパッキンを配置して被ガイド板部３４とスリット１２内壁との間の空隙から湿気や外気が入り込まないように構成する。
【００１０】
次に、図２（ａ）（ｂ）及び（ｃ）は本発明の他の実施形態に係る電力量計の構成を示す正面図、Ｃ−Ｃ断面図、及びクリーニング部材の構成説明図である。なお、図１の実施形態と同一部分には同一符号を付し、重複した説明は省略する。
この実施形態に係るクリーニング機構は、クリーニング部材３０と、クリーニング部材３０を回動自在に支持するためにケース１０に形成された支持穴１２と、から構成されている。
即ち、この実施形態に係る支持穴１２は、ケース１０の適所、例えば透明窓１１の角隅部近傍に形成された小孔（丸穴）であり、小孔１２から外部に突出した操作部３２を回動操作することにより、払拭部３１が透明窓内側面を円弧状の軌跡を描いてクリーニングするように構成している。小孔１２は、払拭部の基部３１ａと操作部３２との間に位置する軸部３５を回動自在に支持する軸受として機能する。
この実施形態においても払拭部３１を透明窓１１内面に圧接させるために、軸部３５及び基部３１ａの弾性を利用しても良いし、操作部３２とケース外面との間に配置した弾性部材３３の付勢力を利用するようにしてもよい。
支持穴１２の配置場所は、透明窓の角隅部である必要はなく、上辺の中央部、その他任意の位置であっても差し支えない。クリーニングを必要とする範囲に応じて払拭部３１の長さを適切に設定すれば問題はない。
【００１１】
次に、図３（ａ）（ｂ）及び（ｃ）は本発明の他の実施形態に係るクリーニング機構を備えた電力量計の構成を示す正面図、側面図、及びクリーニング手順を示す断面図である。なお、上記各実施形態と同一部分には同一符号を付して説明する。
この実施形態に係るクリーニング機構が図１、図２の実施形態と相違する点は、クリーニング部材を電力量計本体とは別体とした構成にある。
即ち、この実施形態においては、電力量計本体側にはクリーニング部材を挿抜するための挿着孔４０を形成する一方、クリーニング部材３０は検針員が携帯することにより適宜必要に応じて使用できるようにしている。
即ち、この実施形態に係るクリーニング部材３０はケース１０に対して着脱される別部材であって、ケースの側面に形成した挿着孔４０からケース内部に挿抜自在に入り込んで透明窓１１内側面に摺接する払拭部３１と、払拭部３１に連設されて挿着孔４０の外部に突出する操作部３２と、を備えている。図３（ａ）（ｂ）に示すように挿着孔４０からケース内にクリーニング部材３０の払拭部３１を差し込み、外部に残された操作部３２を手動操作により回動させたり、軸方向へ進退させたり、上下動作させることにより、払拭部材３１ｂによって透明窓下面をクリーニングするものである。
小孔１２には、非クリーニング時にケース内外を密閉するためのパッキンを配置しておく。
この実施形態においては、払拭部３１の基部３１ａとして、例えば針金、樹脂線材等の弾性材料を用いることが好ましく、基部３１ａの外周全体に植毛、スポンジを配置して払拭部全体で透明窓内面をクリーニングできるように構成する。クリーニング部材３０は、挿着孔４０内に挿着された状態で回動したり、基部３１ａの長手方向へ進退したり、透明窓下面に沿った方向に円弧を描くように往復移動することにより、クリーニングを実施するように構成する。
従って、挿着孔４０の位置、形状、寸法についても、上記のクリーニング動作を可能とするように構成する。
【００１２】
次に、図４（ａ）（ｂ）（ｃ）（ｄ）及び（ｅ）は図３のクリーニング機構の変形例を示す要部断面図、要部外観図、要部平面図、及び操作手順の説明図である。
この実施形態は、ケース１０に設けた挿着孔４０の外部にクリーニング部材３０の挿抜と、クリーニング操作をガイドするためのガイド部５０を設けた構成が特徴的である。
即ち、ケース１０の側壁に設けた挿着孔４０からケース内部にクリーニング部材３０を挿入しただけでは透明窓内面に払拭部３１を圧接させることが困難な場合には、このガイド部５０を用いてクリーニング部材３０の挿入時の経路を透明窓内面に向けた方向へ規制することにより、挿入後のクリーニング操作を効率的に実施することが可能となる。
この実施形態に係るガイド部５０は、挿着孔４０の外側に固定された別部材としてもよいし、ケース１０の側壁の一部として一体化しても良い。或いは、後述するようにクリーニング部材３０側に組み付けられた部材として構成してもよい。
図４に示した例に係るガイド部材５０は、挿着孔４０の外側に固定された別部材として構成されており、ケース側壁外面と密着して固定されるベース部材５１には挿着孔４０内に配置される孔５１ａが形成される共に、ベース部材５１の外側面には端面形状がコ字状のガイド片５２が突設されている。
【００１３】
ガイド片５２は、例えばベース部材５１に固定された部分から外側に向かってテーパー状に拡開する底板５２ａと、底板５２ａの両サイドから立ち上がる側壁５２ｂを備えている。また、底板５２ａは、その上面に沿ってクリーニング部材３０を孔５１ａに挿入したときにクリーニング部材の払拭部３１を透明窓内面に向けてガイドするようにケース側壁面に対して所定角度θだけ傾斜している。要するに、底板５２ａは孔５１ａからケース内部に挿入されたクリーニング部材が透明窓内面から離反しないようにガイドする機能を果たすものである。
ガイド片５２に沿って差し込まれたクリーニング部材３０は、挿入直後に透明窓内面に払拭部先端を当接させ、更に挿入が進行すると払拭部３１は弾性変形しながら透明窓内面に沿って奥へ入り込み、挿入が終了すると、クリーニング動作に移行できる状態となる（図４（ｄ）（ｅ））。
クリーニング部材３０をケース内部に差し込んだ後は、このガイド片５２が許容する動作範囲内でクリーニング部材の操作部３２を摘んで回転させたり、左右方向、軸方向へ進退させることにより、透明窓内面に払拭部３１を十分な圧接力で当接させつつ、クリーニングすることができる。
クリーニング終了後は、各孔５１ａ、４０からクリーニング部材を抜き取ることにより、クリーニング部材のバネ性により原形に復帰するので、繰り返しの再使用に供することが出来る。
この実施形態では、クリーニング部材を電力量計本体に内蔵させず、別体構造として外部に取出し可能としたので、払拭部が汚れた場合にはこれを清掃することができ、透明窓を効率よくクリーニングすることができる。また、クリーニング部材自体が寿命に達した場合には新たなクリーニング部材を使用すればよい。
なお、ガイド部５０は、ケース１０側に設けずに、クリーニング部材３０側に組み付けておいても良い。この場合には、ガイド部５０を挿着孔４０に添設させた状態でクリーニング部材３０をケース内に挿入し、クリーニング操作を行えばよい。
【００１４】
また、上記実施形態ではクリーニング部材３０の払拭部３１を構成する基部３１ａを線材状の部材として示したが、弾性変形が容易な細幅帯状の板部材により構成してもよい。このような板部材によって基部３１ａを構成した場合においても、ガイド片５２の作用によって挿着孔４０から挿入した際に払拭部３１が透明窓面に向けて直進し、その後透明窓に当接してから弾性変形しながら透明窓面に沿って奥に入り込むことができる（図４（ｄ）（ｅ））。クリーニング終了により、クリーニング部材を引き抜いた際には、クリーニング部材はその弾性により原形に復帰して再使用に供することが出来る。
図示したガイド片５２の構成は一例に過ぎず、払拭部３１を透明窓内面にガイドしてから払拭部を自由に動作させ得る構成であればどのような形状であってもよい。
なお、透明窓内面の結露を解消するために、ケース適所に開口部を２箇所設け、一方の開口部から送風手段（携帯送風機、ドライヤー等）によりケース内部に送風し、他方の開口部から排気することにより、ケース内部を乾燥させて結露を解消することができる。或いは、開口部から透明窓面に強い空気流を供給して付着した汚れを除去するようにしてもよい。なお、これらの開口部は常時においては蓋により閉止することは勿論である。
なお、本発明のクリーニング機構は、電力量計のみならず、密閉されたケース内に配置されたメーター類を透明窓から読取る構造を備えた計器類一般に適用可能である。  
【図面の簡単な説明】
【００１５】
【図１】（ａ）（ｂ）（ｃ）（ｄ）及び（ｅ）は本発明の一実施形態に係る電力量計の正面図、Ａ−Ａ断面図、Ｂ−Ｂ断面拡大図、（ｃ）の正面拡大図、及びクリーニング部材の外観斜視図。
【図２】（ａ）（ｂ）及び（ｃ）は本発明の他の実施形態に係る電力量計の構成を示す正面図、Ｃ−Ｃ断面図、及びクリーニング部材の構成説明図。
【図３】（ａ）（ｂ）及び（ｃ）は本発明の他の実施形態に係るクリーニング機構を備えた電力量計の構成を示す正面図、側面図、及びクリーニング手順を示す断面図。
【図４】（ａ）（ｂ）（ｃ）（ｄ）及び（ｅ）は図３のクリーニング機構の変形例を示す要部断面図、要部外観図、要部平面図、及び操作手順の説明図。
【符号の説明】
【００１６】
１…電力量計、２…ベース、５…電力測定部、６…端子ボックス、７…表示部、７ａ…メーター部、１０…ケース、１０ａ…ケース本体、１１…透明窓、１２…支持穴（スリット、小孔）、２０…封印部、３０…クリーニング部材、３１…払拭部、３１ａ…基部、３１ａ…払拭部、３１ｂ…払拭部材、３２…操作部、３３…弾性部材、３４…被ガイド板部、３５…軸部、４０…挿着孔、５０…ガイド部、５１…ベース部材、５１ａ…孔、
５２…ガイド片、５２ａ…底板、５２ｂ…側壁。
【図１】
2007078493.tif 000003
【図２】
2007078493.tif 000004
【図３】
2007078493.tif 000005
【図４】
2007078493.tif 000006